(57)【要約】【課題】照明装置がどのような道路に設置される場合であっても、道なりの照明を可能にし、照明装置から漏れる光をコントロールして必要な箇所へ効果的に配光する。【解決手段】照明装置に複数個配備されている光源は、照明装置が取り付けられている支柱の近傍を照明する複数個の近距離照明用光源、支柱から離れている領域を照明する複数の遠距離照明用光源、両者の中間の領域を照明する複数の中間距離照明用光源とされ、すべての光源が同一の仰角を有する平面上に配備されている。少なくとも、遠距離照明用光源と中間距離照明用光源とは、前記平面を通る仰角軸を中心として回転することにより光軸の方向を変更可能である。隣接している遠距離照明用光源と、中間距離照明用光源とが対に組み合わされ、これが一体となって、前記平面に直交する中心軸を中心として回転することにより光軸の方向を変更可能である。【選択図】図４
2010062126.tif 000002
【特許請求の範囲】
【請求項１】
基端から先端に向かって長手方向に延びる仰角軸を含んでいて当該仰角軸と平行に延びる仰角平面を有する支持体が、上下方向に延びる支柱に対して基端を中心として先端が上下方向に旋回可能に取り付けられ、
前記支持体の長手方向に、内部にそれぞれ照明手段を備えている照明ハウジングが複数個配備されている
照明装置であって、
前記複数個の照明ハウジング中、最も先端に配備されている第一照明ハウジングと、最先端側から基端側に向かって二番目に配備されている第二照明ハウジングの内部にそれぞれ配備されている照明手段である第一照明具と、第二照明具とは、
前記仰角平面に直交する中心軸を中心として回動できるように前記支持体に対してそれぞれ回動可能に配備されていると共に、
当該第一照明具及び第二照明具から照射される光の光軸を、前記仰角軸を中心として回動できるように前記支持体に対してそれぞれ回動可能に配備されている
ことを特徴とする照明装置。
【請求項２】
前記第一照明具及び第二照明具は、光を照射する複数の照明源をそれぞれ備えており、各照明源から照射される光の光軸を、前記仰角軸を中心として回動できるように各照明源が前記支持体に対してそれぞれ回動可能に配備されていることを特徴とする請求項１記載の照明装置。
【請求項３】
前記複数個の照明ハウジング内にそれぞれ配備されている照明手段である照明具の光を照射する照明源は、それぞれ、複数個のＬＥＤからなる発光手段を備えており、当該複数個のＬＥＤからの光の光路に当該ＬＥＤの数に対応する複数のレンズが各ＬＥＤに対応して配備されており、前記複数のレンズは前記複数個のＬＥＤからの光が所定の方向に向けて絞られて各照明具から放出されるように所定の角度を有していることを特徴とする請求項１又は２記載の照明装置。
【請求項４】
前記複数のレンズは、レンズ体の光が照射されていく側に形成されていてそれぞれ同一の照射角度を有する複数の第一のフレネルレンズからなり、当該レンズ体における前記第一のフレネルレンズからなる前記複数のレンズの間の領域は前記第一のフレネルレンズと同一の照射角度を有する第二のフレネルレンズに形成されていることを特徴とする請求項３記載の照明装置。
【請求項５】
前記複数個のＬＥＤは表面が白色塗装されている絶縁基板上に配置されており、前記レンズ体の前記複数個のＬＥＤに向かう側の面と、当該絶縁基板の表面との間の空間部をリング体が囲み、当該リング体の内周が白色塗装されていることを特徴とする請求項４記載の照明装置。
【発明の詳細な説明】
【技術分野】
【０００１】
本発明はＬＥＤを光源として備えた照明装置に関する。
【背景技術】
【０００２】
光源としてＬＥＤを使用した照明装置は、蛍光灯を使用した街路灯に替わる照明装置として採用されるようになっている。ＬＥＤ素子が一般に消費電力が少なく、寿命も長いこと、また、虫のよらない光源という特徴を有しているからである。
【先行技術文献】
【特許文献】
【０００３】
【特許文献１】特開２００７−６６６５８号公報
【特許文献２】特開２００７−１６５０５１号公報
【特許文献３】特開２００３−３１７５２７号公報
【発明の概要】
【発明が解決しようとする課題】
【０００４】
従来の街路灯などに使用される照明装置においては、無駄な方向への照明を少なくし、必要とする所望の領域に対して選択的に照明できるように種々の方策が採用されている。例えば、光源を支持するアームを回動可能に支持する提案がされている。また、配線基盤に設けられているＬＥＤ素子を所望の方向に指向するようにＬＥＤ素子が装着されている取り付け板をジョイント部によって屈折する提案などがされている。
【０００５】
しかし、街路灯が設置される道路の形状は千差万別であるのに対して、従来の街路灯は、ＬＥＤを光源としているものにおいても、道なりの照明を目的としたものは提案されていない。そこで、不本意な場所への照明で照明効率の低下を引き起こし、その一方で、住宅地においては漏れ光による安眠妨害や、照明による光害（主に農作物への影響）の原因になることもあった。
【０００６】
この発明は、街路灯として使用される照明装置がどのような道路に設置される場合であっても、道なりの照明を可能にし、照明装置から漏れる光をコントロールして光の必要な箇所へ効果的に配光することができる照明装置を提供することを目的にしている。
【課題を解決するための手段】
【０００７】
前記目的を達成するため、本願は以下の発明を提案するものである。
【０００８】
請求項１記載の発明は、
基端から先端に向かって長手方向に延びる仰角軸を含んでいて当該仰角軸と平行に延びる仰角平面を有する支持体が、上下方向に延びる支柱に対して基端を中心として先端が上下方向に旋回可能に取り付けられ、
前記支持体の長手方向に、内部にそれぞれ照明手段を備えている照明ハウジングが複数個配備されている
照明装置であって、
前記複数個の照明ハウジング中、最も先端に配備されている第一照明ハウジングと、最先端側から基端側に向かって二番目に配備されている第二照明ハウジングの内部にそれぞれ配備されている照明手段である第一照明具と、第二照明具とは、
前記仰角平面に直交する中心軸を中心として回動できるように前記支持体に対してそれぞれ回動可能に配備されていると共に、
当該第一照明具及び第二照明具から照射される光の光軸を、前記仰角軸を中心として回動できるように前記支持体に対してそれぞれ回動可能に配備されている
ことを特徴とする照明装置である。
【０００９】
請求項２記載の発明は、
前記第一照明具及び第二照明具は、光を照射する複数の照明源をそれぞれ備えており、各照明源から照射される光の光軸を、前記仰角軸を中心として回動できるように各照明源が前記支持体に対してそれぞれ回動可能に配備されていることを特徴とする請求項１記載の照明装置である。
【００１０】
請求項３記載の発明は、
前記複数個の照明ハウジング内にそれぞれ配備されている照明手段である照明具の光を照射する照明源は、それぞれ、複数個のＬＥＤからなる発光手段を備えており、当該複数個のＬＥＤからの光の光路に当該ＬＥＤの数に対応する複数のレンズが各ＬＥＤに対応して配備されており、前記複数のレンズは前記複数個のＬＥＤからの光が所定の方向に向けて絞られて各照明具から放出されるように所定の角度を有していることを特徴とする請求項１又は２記載の照明装置である。
【００１１】
請求項４記載の発明は、
前記複数のレンズは、レンズ体の光が照射されていく側に形成されていてそれぞれ同一の照射角度を有する複数の第一のフレネルレンズからなり、当該レンズ体における前記第一のフレネルレンズからなる前記複数のレンズの間の領域は前記第一のフレネルレンズと同一の照射角度を有する第二のフレネルレンズに形成されていることを特徴とする請求項３記載の照明装置である。
【００１２】
請求項５記載の発明は、
前記複数個のＬＥＤは表面が白色塗装されている絶縁基板上に配置されており、前記レンズ体の前記複数個のＬＥＤに向かう側の面と、当該絶縁基板の表面との間の空間部をリング体が囲み、当該リング体の内周が白色塗装されていることを特徴とする請求項４記載の照明装置である。
【発明の効果】
【００１３】
本発明によれば、街路灯として使用される照明装置がどのような道路に設置される場合であっても、道なりの照明を可能にし、照明装置から漏れる光をコントロールして光の必要な箇所へ効果的に配光することができる。
【図面の簡単な説明】
【００１４】
【図１】本発明の照明装置が街路灯として使用される状態の一例を説明する斜視図。
【図２】本発明の照明装置に採用される支持体の一例の一部を省略した分解斜視図。
【図３】本発明の照明装置に採用される支持体の一例の一部を省略した底面図。
【図４】本発明の照明装置において照明具から放出される光の進行方向を任意に調整する状況を説明する概念図。
【図５】本発明の照明装置における照明具の一例を底面側から表した一部を省略した斜視図。
【図６】（ａ）本発明の照明装置における内部構造の一例を平面側から表した一部を省略した斜視図、（ｂ）図６（ａ）の一部拡大図、（ｃ）照明具が回転する角度を説明する平面図。
【図７】本発明の照明装置が街路灯として使用されているときに仰角を調整する状態を説明する側面図。
【図８】（ａ）本発明の照明装置を街路灯として使用するときの取り付け構造の一例を説明する側面図、（ｂ）本発明の照明装置を街路灯として使用するときの取り付け構造の一例を説明する背面図、（ｃ）本発明の照明装置を街路灯として使用したときに取り付け角度を任意に調整する状態を説明する正面図。
【図９】本発明の照明装置において照明具に配備される複数のレンズの一例を説明する図。
【図１０】本発明の照明装置に採用される照明具の一例の一部を省略した分解斜視図。
【図１１】本発明の照明装置に採用される支持体の放熱構造を説明する一部を省略した分解斜視図。
【図１２】（ａ）〜（ｆ）は本発明の照明装置が街路灯として道路に設置された場合の照明状態を説明する図。
【図１３】（ａ）〜（ｄ）は本発明の照明装置が街路灯として道路に設置された場合の照明状態を説明する図。
【図１４】（ａ）、（ｂ）は本発明の照明装置において照明具に配備される複眼レンズ構造の一例を説明する図であって、（ａ）はレンズ体の平面図、（ｂ）は複眼レンズ構造の内部を説明する一部を省略した断面図。
【図１５】図１４で説明した複眼レンズ構造でＬＥＤから照射された光の進行方向を説明する一部を省略した断面図。
【図１６】放射角１２０度の高輝度ＬＥＤの指向特性を説明する図。
【発明を実施するための形態】
【００１５】
この発明によれば、照明装置に複数個配備されている光源は、複数個の近距離照明用光源と、複数個の近距離照明用光源と、複数個の中間距離照明用光源とからなる。複数個の近距離照明用光源は、照明装置が取り付けられている支柱の近傍を照明する。複数個の近距離照明用光源は、支柱から離れている領域を照明する。複数個の中間距離照明用光源は、両者の中間の領域を照明する。これらすべての光源は、同一の仰角を有する平面上に配備されている。
【００１６】
そして、少なくとも、遠距離照明用光源と、中間距離照明用光源とは、前記平面を通る仰角軸を中心として符号Ａ（図４、図５）で示すように回転することにより光軸の方向を変更可能になっている。また、隣接している遠距離照明用光源と、中間距離照明用光源とが対に組み合わされ、これが一体となって、前記平面に直交する中心軸を中心として符号Ｂ（図４、図６（ｃ））で示すように回転することにより光軸の方向を変更可能になっている。
【００１７】
更に、前記平面はその仰角を符号Ｃ（図４、図７）で示すように変更可能であると共に、垂直方向に対して傾く角度を符号Ｄ（図４、図８（ｃ））で示すように変更可能になっている。
【００１８】
これによって、街路灯として使用される照明装置がどのような道路に設置される場合であっても、道なりの照明を可能にしている。
【００１９】
そして、この発明によれば、各光源を構成している一個ごとの高輝度ＬＥＤに対して、当該高輝度ＬＥＤからの光の光路にレンズが対応して配備されて、当該レンズは前記高輝度ＬＥＤからの光が所定の方向に向けて絞られて各照明具から放出されるように所定の照射角度を有している。
【００２０】
これによって、道なりの照明を可能にすると共に、照明装置から漏れる光をコントロールして光の必要な箇所へ効果的に配光している。
【実施例】
【００２１】
以下、添付図面を参照して本発明の好ましい実施例を説明する。
【００２２】
本発明の照明装置１は支持体６と、支持体６に配備される複数個の照明ハウジングとを備えている。
【００２３】
支持体６は、図１図示のように、上下方向に延びる支柱２に対して基端４を中心として先端３が、矢印５（図１、図７）で示すように、上下方向に旋回可能に取り付けられる。
【００２４】
この支持体６の先端３が基端４を中心として矢印５（図１、図７）で示すように上下方向に旋回できる角度Ｃ（図４、図７）は、水平状態から上側方向２２°の仰角位置を基準として上側方向、下側方向に向かってそれぞれ５度ずつの合計１０度の仰角範囲とすることができる（図７）。角度Ｃを調整することにより、支持体６の先端３が延びていく方向である正面方向における道路４０（図７）の勾配に対して最適な角度調整を行うことができる。
【００２５】
支持体６は仰角平面を有する構造になっている。この仰角平面は、支持体６の基端４から先端３に向かって長手方向に延びる仰角軸１７（図４）を含んでいて仰角軸１７と平行に延びる仮想上の平面である。図示の実施形態では、仰角平面は、後述する支持フレーム２２によって形成される。
【００２６】
複数個の照明ハウジングは、基端４から先端３に向かって長手方向に延びる支持体６の長手方向に配備される。図１図示の実施形態では、支持体６の最も先端に第一照明ハウジング７、最先端側から基端側に向かって二番目に第二照明ハウジング８、最も基端側に第三照明ハウジング９と三個の照明ハウジングが配備されている。
【００２７】
各照明ハウジング（第一照明ハウジング７、第二照明ハウジング８、第三照明ハウジング９）は、図３図示のように、内部にそれぞれ照明手段である第一照明具１３、第二照明具１４、第三照明具１５を備えている。
【００２８】
また、図示の実施形態では、各照明具（第一照明具１３、第二照明具１４、第三照明具１５）はそれぞれ光を照射する２個の照明源（すなわち、光源）を備えている。第一照明具１３が備えている光を照射する２個の照明源（すなわち、光源）は、第一照明具第一照明源１３ａと第一照明具第二照明源１３ｂである。第二照明具１４が備えている光を照射する２個の照明源（すなわち、光源）は、第二照明具第一照明源１４ａと第二照明具第二照明源１４ｂである。第三照明具１５が備えている光を照射する２個の照明源（すなわち、光源）は、第三照明具第一照明源１５ａと第三照明具第二照明源１５ｂである。
【００２９】
図２は支持体６の内部構造の一例を説明する一部を省略した分解斜視図である。
【００３０】
アルミニウム製の熱拡散板２０の下側にアルミニウム製の支持フレーム２２が取り付けられ、支持フレーム２２の下側にカバーフレーム２４が取り付けられる。
【００３１】
この支持フレーム２２が前述したように支持体６が備えている仰角平面を形成する。
【００３２】
カバーフレーム２４は樹脂製の透明カバー２５、２６、２７を備えている。透明カバー２５〜２７は、図示のように、第一照明具１３、第二照明具１４、第三照明具１５の照明源（第一照明具第一照明源１３ａ、等）を下側から覆う。
【００３３】
支持フレーム２２には第一照明ハウジング７、第二照明ハウジング８を配備するための透孔が長手方向に２個形成されている。
【００３４】
第一照明ハウジング７、第二照明ハウジング８が配備される位置では当該透孔を介して支持フレーム２２の上側から支持リング２１、支持フレーム２２の下側から光源ハウジング４９、保持フレーム２３がそれぞれ配備される。
【００３５】
第三照明ハウジング９が配備される位置では、支持フレーム２２の下側から光源ハウジング４９が配備される。
【００３６】
図示の実施形態では、各光源ハウジング４９に、図３図示のように、各照明具（第一照明具１３、等）に配備されている各２個の照明源（第一照明具第一照明源１３ａ、第一照明具第二照明源１３ｂ、等）が装着される。すなわち、図示の実施形態では、６個の光源（第一照明具第一照明源１３ａ、等）が、仰角軸１７の仰角Ｃ（図４）と同一角度の仰角で、支持フレーム２２によって形成される仰角平面と平行に延びる平面上に配備されている。
【００３７】
支持体６における各部材の接触部は不図示のゴムパッキンやネジの締め付け等によって水密性が確保されている。
【００３８】
図２等を用いて、支持体６への第一照明ハウジング７、第二照明ハウジング８の取り付け構造の一例を説明する。
【００３９】
図２、図３、図６図示のように、支持フレーム２２に前述した透孔が配備されている位置で、支持フレーム２２の上側面に支持リング２１をネジ等により取り付ける。一方、その位置における支持フレーム２２の下側面に、光源ハウジング４９が上側から装着されている保持フレーム２３の上側面を当接させて取り付ける。
【００４０】
この取り付けは、図６（ｂ）図示のように、支持フレーム２２に形成されているネジ溝３１ａ、３１ｂ、３１ｃ、３１ｄを利用し、ネジ３２ａ、３２ｂ、３２ｃ、３２ｄにより、光源ハウジング４９が上側から装着されている保持フレーム２３の上側面を支持フレーム２２の下側面に当接させて行う。
【００４１】
これにより、光源ハウジング４９が上側から装着されている保持フレーム２３を下側から手で持って図６（ｂ）に矢印３３ａ、矢印３３ｂで示す方向に回転させると、下端が保持フレーム２３の上側面に固定されているネジ３２ａ、３２ｂ、３２ｃ、３２ｄの上端が、支持フレーム２２のネジ溝３１ａ、３１ｂ、３１ｃ、３１ｄ内を矢印３３ａ方向、あるいは３３ｂ方向に移動する。
【００４２】
こうして、第一照明具１３は、支持フレーム２２（すなわち、仰角平面）に直交する中心軸１９（図４）を中心として矢印３３ａ及び３３ｂ（図６（ａ）、（ｂ））で示すように回動できるように支持フレーム２２取り付けられる。
【００４３】
第二照明具１４も、同様にして、支持フレーム２２（すなわち、仰角平面）に直交する中心軸１９（図４）を中心として矢印３３ａ´及び３３ｂ´（図３、図６（ａ））で示すように回動できるように支持フレーム２２取り付けられている。
【００４４】
第一照明具１３、第二照明具１４が、支持フレーム２２（すなわち、仰角平面）に直交する中心軸１９（図４）を中心として矢印３３ａ、３３ｂ（図３、図６（ａ）、（ｂ））、矢印３３ａ´、３３ｂ´（図３、図６（ａ））で示すように回動できる角度Ｂは、図６（ｃ）に示すように前後１２０度の回転角度範囲にすることができる。
【００４５】
一方、第三照明具１５に関しては、図２では図示を省略しているが、第三照明ハウジング９が配備される位置で、支持フレーム２２の下側から第三照明具１５を構成する光源ハウジング４９が固定的に取り付けられる。
【００４６】
次に、第一照明具１３、第二照明具１４が支持体６に取り付けられている構造の一例を図５、図１０を参照して説明する。
【００４７】
第一照明具１３は、図３、図５図示のように、光を照射する２個の照明源（光源）である第一照明具第一照明源１３ａと、第一照明具第二照明源１３ｂとを備えている。
【００４８】
第一照明具第一照明源１３ａ、第一照明具第二照明源１３ｂは、それぞれ光源ハウジング４９のホルダ側壁２８ａ、２８ｂに対して回転運動可能に取り付けられる。
【００４９】
第一照明具第二照明源１３ｂについて説明すると、第一照明具第二照明源１３ｂは、図５図示のように、光源ハウジング４９のホルダ側壁２８ａに形成されているネジ孔２９ａ（図１０）を介してネジ２９によりホルダ側壁２８ａに対して矢印３０で示すように回転運動可能に取り付けられる。
【００５０】
第一照明具第一照明源１３ａも、同じようにして、ホルダ側壁２８ｂに対して矢印３０で示すように回転運動可能に取り付けられる。
【００５１】
光を照射する２個の照明源（光源）である第二照明具第一照明源１４ａと、第二照明具第二照明源１４ｂとを備えている第二照明具１４においても、図示していないが、同様に、第二照明具第一照明源１４ａ、第二照明具第二照明源１４ｂが、それぞれ光源ハウジング４９のホルダ側壁２８ａ、２８ｂに対して回転運動可能に取り付けられる。
【００５２】
ここで、光源ハウジング４９は、図２図示のように、上側から保持フレーム２３に装着される。そして、保持フレーム２３は前述したようにその上側面を支持体６の仰角平面を構成する支持フレーム２２の下側面に当接させ、矢印３３ａ、３３ｂのように支持フレーム２２に対して回動可能に、支持フレーム２２のネジ溝３１ａ〜３１ｄ、ネジ３２ａ〜３２ｄを介して支持フレーム２２に取り付けられている。
【００５３】
そこで、第一照明具１３及び第二照明具１４にそれぞれ配備されている光を照射する複数の照明源（光源）（第一照明具第一照明源１３ａ、第一照明具第二照明源１３ｂ、第二照明具第一照明源１４ａ、第二照明具第二照明源１４ｂ）は、各照明源（光源）（第一照明具第一照明源１３ａ、等）から照射される光の光軸を、仰角軸１７を中心として矢印３０で示すように回動できるように、支持体６に対してそれぞれ回動可能に配備されていることになる。
【００５４】
この結果、光を照射する複数の照明源（光源）（第一照明具第一照明源１３ａ、第一照明具第二照明源１３ｂ、第二照明具第一照明源１４ａ、第二照明具第二照明源１４ｂ）をそれぞれ備えている第一照明具１３及び第二照明具１４も、当該第一照明具１３及び第二照明具１４から照射される光の光軸を、仰角軸１７を中心として矢印３０で示すようにそれぞれ回動できるように支持体６に対して回動可能に配備されていることになる。
【００５５】
第一照明具第一照明源１３ａ、第一照明具第二照明源１３ｂ、第二照明具第一照明源１４ａ、第二照明具第二照明源１４ｂが仰角軸１７を中心として矢印３０で示すように回動できる角度Ａ（図４）、すなわち、第一照明具１３及び第二照明具１４が仰角軸１７を中心として矢印３０で示すように回動できる角度Ａ（図４）は、０度〜９０度の角度範囲とすることができる。
【００５６】
本発明の照明装置１は、支持体６の基端４に配備される回転軸５４、取付箱５１、取付バンド５２を介して支柱２に取り付けることができる（図８（ａ））。
【００５７】
なお、取付箱５１の背面に取付補助部５３、５３を備えておくこともできる（図８（ｂ））。
【００５８】
支持体６は、基端４を中心として先端３が矢印５で示すように上下方向に旋回可能に支柱２に取り付けられるので、回転軸５４を介して、支持体６はその先端を矢印５で示すように上下方向に旋回可能になっている。
【００５９】
なお、図８（ａ）中、取付バンド５２の左端と、取付箱５１の背面との間の取り付け構造を回動可能なものとすることにより、取付箱５１を上下方向に延びる支柱２に対して矢印１１（図４）（矢印１１ａ、１１ｂ（図８（ｃ））方向に傾動させることができる。このように取付箱５１を支柱２に対して矢印１１（図４）（矢印１１ａ、１１ｂ（図８（ｃ））方向に傾動させるには、例えば、追加のアダプター（不図示）を別途取り付けて行うことができる。
【００６０】
この、支柱２に対して本発明の照明装置１が矢印１１（図４）（矢印１１ａ、１１ｂ（図８（ｃ））方向に傾くことができる角度Ｄ（図４）は、不図示のアダプターを別途取り付け、回転角度を作る。図８（Ｃ）中、矢印１１ａ、１１ｂで示される範囲がそれぞれ３０度ずつで、上下方向に延びる支柱２に対して６０度の角度範囲とすることができる。
【００６１】
以上に説明したように、本発明の照明装置１においては、第一照明具１３、第二照明具１４にそれぞれ２個ずつ、合計４個配備されている光源からの光が進行する方向を３つの軸の周りに回動させて任意に調整することができる。
【００６２】
一つの軸は、回転軸５４である（図８（ａ））。回転軸５４（すなわち、支持体６の基端４）を中心として支持体６の先端３を、矢印５で示すように上下方向に旋回させることにより、支持体６の仰角Ｃ（図４、図７）を前述した角度範囲で任意に調整できる。
【００６３】
前述したように、第一照明具１３、第二照明具１４にそれぞれ２個ずつ、合計４個配備されている光源（第一照明具第一照明源１３ａ、第一照明具第二照明源１３ｂ、第二照明具第一照明源１４ａ、第二照明具第二照明源１４ｂ）は、仰角軸１７の仰角Ｃ（図４）と同一角度の仰角で、支持フレーム２２によって形成される仰角平面と平行に延びる平面上に配備されている。そこで、仰角Ｃを調整することによって、第一照明具１３、第二照明具１４の各光源（第一照明具第一照明源１３ａ、等）が配備される、仰角軸１７の仰角Ｃ（図４）と同一角度の仰角で支持フレーム２２によって形成される仰角平面と平行に延びる平面の仰角Ｃを前述した角度範囲で任意に調整できる。
【００６４】
二つ目の軸は、仰角平面を形成する支持フレーム２２に直交する中心軸１９（図４）である。この中心軸１９を中心として第一照明具１３を矢印３３ａ方向あるいは３３ｂ方向（図３、図６（ａ）、（ｂ））に回動させ、また、第二照明具１４を矢印３３ａ´方向あるいは３３ｂ´方向（図３、図６（ａ））に回動させる。こうして、図４、図６（ｃ）に符号Ｂで示す角度を前述した角度範囲で調整できる。
【００６５】
三つ目の軸は仰角軸１７である。この軸を中心として、支持体６の最も先端に配備されている第一照明ハウジング７と、最先端側から基端側に向かって二番目に配備されている第二照明ハウジング８の内部にそれぞれ配備されている第一照明具１３及び第二照明具１４から照射される光の光軸を矢印３０（図４）で示すように回動させて、図４に符号Ａで示す角度を前述した角度範囲で調整することができる。より具体的には、第一照明具第一照明源１３ａ、第一照明具第二照明源１３ｂ、第二照明具第一照明源１４ａ、第二照明具第二照明源１４ｂのそれぞれから照射される光の光軸を矢印３０（図４）で示すように回動させて、図４に符号Ａで示す角度を前述した角度範囲で調整することができる。
【００６６】
これによって、上下方向（すなわち、鉛直方向）に延びる支柱２に基端４が取り付けられていて、仰角Ｃを任意に調整可能な支持体６の長手方向に複数配備されている第一照明具１３、第二照明具１４を構成する第一照明具第一照明源１３ａ、第一照明具第二照明源１３ｂ、第二照明具第一照明源１４ａ、第二照明具第二照明源１４ｂのそれぞれから照射される光の光軸を、符合Ａ（図４）で示す方向の回転により、細かく調整、制御することができる。
【００６７】
更に、前述したように、上下方向に延びる支柱２に対して照明装置１を矢印１１（図４）方向に角度Ｄの前述した範囲で傾けさせることができる。
【００６８】
こうして、本発明の照明装置１が街路灯としてどのような道路に設置される場合であっても、道なりの照明を可能にし、光の必要な箇所へ効果的に配光することができる。
【００６９】
次に、図５、図９、図１０を参照して、本願発明の特徴の一つである複眼レンズ構造について説明する。
【００７０】
第一照明具１３、第二照明具１４における光源ハウジング４９は、いずれも、その前方側（図１０中、左側）に平坦面５０ａ、５０ｂを備えている。
【００７１】
平坦面５０ａ、５０ｂは、第一照明具１３等の光源である照明源（第一照明具第一照明源１３ａ、第一照明具第二照明源１３ｂ、第二照明具第一照明源１４ａ、第二照明具第二照明源１４ｂ）用に配備されているものである。
【００７２】
そこで、平坦面５０ａ、５０ｂは、それぞれ、光源ハウジング４９のホルダ側壁２８ａ、２８ｂに対して矢印３０（図５）で示すように回転運動可能に取り付けられていることになる。
【００７３】
この平坦面５０ａ、５０ｂの上側（図１０中、左側の面）にアルミニウム製の枠体であるベゼル４３によって、ＬＥＤアルミニウム絶縁基板４６、固定枠４４で固定されたレンズ体４１が図１０に示すように順に装着される。
【００７４】
ＬＥＤアルミニウム絶縁基板４６上に配備される発光手段としてのＬＥＤは複数個配備される。図示の実施形態では、一つの照明源（第一照明具第一照明源１３ａ、等）に対して、それぞれ、５個のＬＥＤ４７ａ、４７ｂ、４７ｃ、４７ｄ、４７ｅが配備されている。
【００７５】
レンズ体４１には、図９、図１０図示のように、各ＬＥＤ４７ａ〜４７ｅからの光の光路に、ＬＥＤ４７ａ〜４７ｅの数に対応する数のレンズ４２ａ、４２ｂ、４２ｃ、４２ｄ、４２ｅが、各ＬＥＤ４７ａ〜４７ｅに対応して配備されている。
【００７６】
この複数のレンズ４２ａ〜４２ｅは、複数個のＬＥＤ４７ａ〜４７ｅからの光が所定の方向に向けて絞られて各照明具（第一照明具１３、第二照明具１４）から放出されるように所定の角度を有している。
【００７７】
指向性があるものの、光の出力、光の出る角度が種々であるＬＥＤを発光手段として使用しているにもかかわらず、複数のレンズ４２ａ、４２ｂ、４２ｃ、４２ｄ、４２ｅを前述した所定の角度で配備することによって、光が出て行く角度を任意に制御し、光の進行方向を絞り、目的とする方向、領域への効率的な配光を行えるようにしたものである。
【００７８】
これによって、前述したように本発明の照明装置１では、照明具からの光が進行する方向を３つの軸の周りに回動させて任意に調整できることに加えて、各照明具（第一照明具１３、第二照明具１４）から放出される光を絞り、不要なエリアに対して光が照射されることを防止し、照明装置１から漏れる光をコントロールして、任意のエリアに対して効率的に照射し、照度効率を上げることができる。
【００７９】
なお、図示していないが、第三照明具１５における光源ハウジングも基本的に、前述した第一照明具１３用の光源ハウジング４９と同一の構造になっている。すなわち、一つの照明源（第三照明具第一照明源１５ａ、第三照明具第二照明源１５ｂ）に対して、それぞれ、５個のＬＥＤ４７ａ、４７ｂ、４７ｃ、４７ｄ、４７ｅが配備され、レンズ体４１には、各ＬＥＤ４７ａ〜４７ｅからの光の光路に、ＬＥＤ４７ａ〜４７ｅの数に対応する数のレンズ４２ａ、４２ｂ、４２ｃ、４２ｄ、４２ｅが、各ＬＥＤ４７ａ〜４７ｅに対応して配備されている。そして、この複数のレンズ４２ａ〜４２ｅは、複数個のＬＥＤ４７ａ〜４７ｅからの光が所定の方向に向けて絞られて第三照明具１５から放出されるように所定の角度を有している。
【００８０】
ただし、第三照明具１５における光源ハウジングは、支持フレーム２２の下側から固定的に支持フレーム２２に取り付けられ、符号Ａ、Ｂで示す方向の回転運動を行わない。そこで、平坦面５０ａ、５０ｂに相当する分が光源ハウジング４９のホルダ側壁２８ａ、２８ｂに対して回転運動せず、また、第三照明具１５が符号Ｂで示す回転運動を行うことがないように支持フレーム２２に対して固定的に支持フレーム２２に取り付けられる点が、前述した第一照明具１３、第二照明具１４と相違している。
【００８１】
前記において、ＬＥＤ４７ａ〜４７ｅとしては、高輝度ＬＥＤを使用することにより、一層、効率的に照射し、照度効率を上げることができる。
【００８２】
従来のＬＥＤを利用した照明装置の場合、ＬＥＤの出力が大きくないので、大量のＬＥＤによる面光源で光量を確保することが一般的であった。このため、光軸点はなく、光源の回転などで照射する方向を制御していた。また、光を集光させる技術も採用されていなかった。
【００８３】
本発明においては、高輝度ＬＥＤを使用し、なおかつ、前述したように、光源を符号Ａ、Ｂ、Ｃ、Ｄで示す角度領域で回転させて光軸の方向を細かく制御し、更に、レンズ４２ａ〜４２ｅによって複数個のＬＥＤ４７ａ〜４７ｅからの光が所定の方向に向けて絞られて各照明具から放出されるようにレンズ４２ａ〜４２ｅに所定の角度を備えさせている。これによって、光を漏らすことなく、所定の場所に光を集め、道なりの照明を行うことができるようにしたものである。
【００８４】
１個のＬＥＤあたり１．２Ｗを使用するようにした場合、前述したように５個のＬＥＤ４７ａ〜４７ｅを採用すると合計６Ｗとなる。
【００８５】
次に、図１４（ａ）〜図１６を参照して、ＬＥＤを発光手段として使用しているにもかかわらず、光が出て行く角度を任意に制御し、光の進行方向を絞り、目的とする方向、領域への効率的な配光を行えるようにする機構の一例について更に詳しく説明する。
【００８６】
なお、図９、図１０を用いて説明した複眼レンズ構造と共通する部分には同一の符号を付けてその説明を省略する。
【００８７】
図１４（ａ）、（ｂ）に示すように、各ＬＥＤ４７ａ〜４７ｅに対応してレンズ体４１に配備されているレンズ４２ａ、４２ｂ、４２ｃ、４２ｄ、４２ｅは、いずれも、レンズ体４１の光が照射されていく側に形成されているフレネルレンズ（第一のフレネルレンズ）である。フレネルレンズからなるレンズ４２ａ〜４２ｅはいずれも同一の照射角度を有している。
【００８８】
また、符号６０で示されている、レンズ体４１におけるフレネルレンズからなる複数のレンズ４２ａ〜４２ｅの間の領域も、レンズ４２ａ〜４２ｅと同一の照射角度を有するフレネルレンズ（第二のフレネルレンズ）となっている。
【００８９】
このように、レンズ体４１の光が照射されていく側に、第一のフレネルレンズからなるレンズ４２ａ〜４２ｅ及び、レンズ４２ａ〜４２ｅの間の領域に符号６０で示されている第二のフレネルレンズをそれぞれ形成し、レンズ体４１の全面をフレンネル構造にしている。そして、第一のフレネルレンズ、第二のフレネルレンズはいずれも等しい照射角度を有している。そこで、さまざまな角度から入射した迷光はレンズ体４１を介して照射角度が修正される。これによって、光が出て行く角度を制御し、光の進行方向を絞り、目的とする方向、領域へ効率的に配光することができる。
【００９０】
なお、ＬＥＤ４７ａ〜４７ｅとして高輝度ＬＥＤを使用する場合、これは点光源であるのでグレアとなる。そこで、グレア対策として、レンズ体４１の裏面４１ａ（すなわち、レンズ体４１のＬＥＤ４７ａ〜４７ｅに向かう側の面。図１４（ｂ）中、下側の面）にはマット加工（スリガラス状の加工）を行なっておくことが望ましい。
【００９１】
図１４（ｂ）図示の実施形態では、図１０において符号４４で説明されていた固定枠は、取り付け、取り外し可能な焦点調整リング６２になっている。ベゼル４３を締め付け固定しているネジを緩め、焦点調整リング６２を高さの異なる他の焦点調整リングに交換することができる。これによって、ＬＥＤ４７ａ〜４７ｅとレンズ体４１の裏面４１ａとの間の距離を調整し、焦点を調整することが可能になっている。
【００９２】
アルミニウム絶縁基板４６の上面（図１４（ｂ）中、上側の面）は白色塗装された白色塗装面６１になっており、ＬＥＤ４７ａ〜４７ｅは、白色塗装されているアルミニウム絶縁基板４６上に配置されている。
【００９３】
レンズ体４１のＬＥＤ４７ａ〜４７ｅに向かう側の面（図１４（ｂ）中、下側の面）と、白色塗装されているアルミニウム絶縁基板４６の表面との間の空間部を囲む焦点調整リング６２の内周は、白色塗装された白色塗装面６３になっている。
【００９４】
以下、ＬＥＤ４７ａ〜４７ｅとして放射角１２０度の高輝度ＬＥＤを使用した場合について説明する。
【００９５】
放射角１２０度の高輝度ＬＥＤの場合、図１６図示のように、正面方向０度で相対照明度１．０（ａ．ｕ．）、正面方向３０度で相対照明度０．８７（ａ．ｕ．）、正面方向６０度で相対照明度０．５（ａ．ｕ．）となる。なお、正面方向７０度で相対照明度０．３（ａ．ｕ．）、正面方向８０度で相対照明度０．１（ａ．ｕ．）である。そこで、迷光をできるだけ防止し、効率よく利用するために、正面方向６０度〜９０度の領域で適切な対応を採ることが望ましい。
【００９６】
すなわち、ＬＥＤ４７ａ〜４７ｅから発生せられる光のうち放射角１２０度を越える光はレンズ体４１方向に発せられる光とは無関係な迷光になる。しかし、アルミニウム絶縁基板４６の上面が白色塗装面６１、焦点調整リング６２の内周が白色塗装面６３になっていることから、このような迷光も、レンズ体４１方向に向けて反射される。
【００９７】
ＬＥＤ４７ａ〜４７ｅからの直接光はＬＥＤ４７ａ〜４７ｅに対応してそれぞれ配備されているフレネルレンズからなるレンズ４２ａ〜４２ｅによって照射方向が調整される。図１５において符号６４ａ、６４ｃ、６４ｄで示す部分が、ＬＥＤ４７ａ、４７ｃ、４７ｄからの直接光になる。
【００９８】
各ＬＥＤ４７ａ〜４７ｅに対応して配備されているレンズ４２ａ〜４２ｅがいずれも同一の照射角度を有するフレネルレンズになっていることから、実装されている全てのＬＥＤ４７ａ〜４７ｅに対しても常に同じ角度で照射できるようになっている。
【００９９】
レンズ体４１の裏面４１ａで一部反射した光が図１５に矢印６５ａ、６５ｂ、６５ｃで示すように迷光となる。この迷光は、白色塗装面６１、白色塗装面６３によって反射され、図１４に符号６０で示されているレンズ４２ａ〜４２ｅと同一の照射角度を有するフレネルレンズレンズを透過して図１５図示のように、ＬＥＤ４７ａ、４７ｃ、４７ｄからの直接光の領域に含まれるようになる。
【０１００】
図示の実施形態では、図１５において符号６６で示されているハッチング部分がＬＥＤ４７ａ〜４７ｅからの放射角が１２０度を越えている光になる。この光は、レンズ４２ａ〜４２ｅの集光範囲外であるため迷光となる。しかし、わずかな量（約２．２％）に抑えられている。
【０１０１】
前記では５個のＬＥＤ４７ａ〜４７ｅを採用していたが、使用するＬＥＤの数を変更して照度を変更することができる。ＬＥＤアルミニウム絶縁基板４６上にＬＥＤの実装が行われない個所では半田などによる短絡処理によって実装するＬＥＤの数を調整する。
【０１０２】
なお、実装するＬＥＤの数を変更することによって光量が変化し、照度に変動が生じるが、前述したように、レンズ体４１に、各ＬＥＤからの光の光路に、ＬＥＤの数に対応する数のレンズが、各ＬＥＤに対応して配備され、この複数のレンズは、複数個のＬＥＤからの光が所定の方向に向けて絞られて各照明具（第一照明具１３、第二照明具１４、第三照明具１５）から放出されるように所定の角度を有しているので、照射角度は常に所定の角度に維持される。
【０１０３】
図１１は、本発明の照明装置１における放熱機構の一例を説明するものである。
【０１０４】
各照明源（第一照明具第一照明源１３ａ、等）におけるＬＥＤ４７ａ〜４７ｄが高熱になることに備えて、熱をＬＥＤアルミニウム絶縁基板４６を介して放熱できるようにしている。
【０１０５】
ＬＥＤアルミニウム絶縁基板４６の熱は、図１１図示のように、光源ハウジング４９を介して、矢印５５、５６、５７のように伝動させ、アルミニウム製の熱拡散板２０の溝２０ａから矢印５８のように放熱させる。
【０１０６】
なお、図示の実施形態では、熱拡散板２０は長手方向に延びる溝２０ａを放熱用に備えているが、このような溝に限られず、放熱用の透孔を設けるようにすることもできる。
【０１０７】
照明装置１の電源は取付箱５１（図７、図８）内に配備することができる。ここに商用電源ＡＣ１００Ｖを入力させ、電源回路を用いて第一照明具１３、第二照明具１４、第三照明具１５のＬＥＤ４７ａ、等の電源とする。取付箱５１内に収容されている電源から第一照明具１３、第二照明具１４、第三照明具１５のＬＥＤ４７ａ、等へのＬＥＤ用電源線はゴムパッキン等によって水密性を確保しつつ接続を図る。
【０１０８】
なお、熱拡散板２０の上部に受光素子１０（図２）を配備し、受光素子１０で感知する明暗に応じて照明装置１を自動点滅させることもできる。受光素子１０で感知した明度を、受光素子１０からゴムパッキン等によって水密性を確保して取付箱５１内に接続している不図示の信号線を介して入力する。そして、所定の明度以下になった時点で電源から第一照明具１３、等のＬＥＤ４７ａ、等に電源入力が行われるようにして自動的に点灯させるものである。
【０１０９】
次に、本発明の照明装置１によって、道なりの照明を可能にし、照明装置１から漏れる光をコントロールして光の必要な箇所へ効果的に配光できるよう、６個の光源（第一照明具第一照明源１３ａ、第一照明具第二照明源１３ｂ、第二照明具第一照明源１４ａ、第二照明具第二照明源１４ｂ、第三照明具第一照明源１５ａ、第三照明具第二照明源１５ｂ）からの光の光軸方向を任意に調整する工程について説明する。
【０１１０】
本発明の照明装置１においては、第三照明ハウジング９に配備される第三照明具１５は、照明装置１が取り付けられている支柱２の直下及びその近傍である近距離の路面を光照射する近距離用照明になる。
【０１１１】
この第三照明具１５の光源（第三照明具第一照明源１５ａと第三照明具第二照明源１５ｂ）は、仰角軸１７の仰角Ｃ（図４）と同一角度の仰角で、支持フレーム２２によって形成される仰角平面と平行に延びる平面上において、支持体６に固定的に取り付けられている。そこで、支持体６が矢印５で示すように回動することによって位置調整され、光源（第三照明具第一照明源１５ａと第三照明具第二照明源１５ｂ）から発する光の光軸方向を調整できる。
【０１１２】
また、前述したように、上下方向に延びる支柱２に対して照明装置１が矢印１１（図４）方向に角度Ｄの範囲で傾くことにより、光源（第三照明具第一照明源１５ａと第三照明具第二照明源１５ｂ）から発する光の光軸方向を調整できる。
【０１１３】
一方、第一照明ハウジング７の第一照明具１３及び、第二照明ハウジング８の第二照明具１４においては、支持体６の先端３側に位置する第一照明具第一照明源１３ａ、第二照明具第一照明源１４ａが、支柱２から遠く離れている遠距離の路面を光照射する遠距離用照明になる。
【０１１４】
また、第一照明ハウジング７の第一照明具１３及び、第二照明ハウジング８の第二照明具１４において、支持体６の基端４側に位置する第一照明具第二照明源１３ｂ、第二照明具第二照明源１４ｂが、前述した近距離用照明と、遠距離用照明とによって光照射される領域の中間部分にあたる、支柱２からの距離が中間になる中間距離の路面を光照射する中間距離用照明になる。
【０１１５】
遠距離用照明の光源（第一照明具第一照明源１３ａ、第二照明具第一照明源１４ａ）、中間距離用照明の光源（第一照明具第二照明源１３ｂ、第二照明具第二照明源１４ｂ）はいずれも前述した符号Ａ、Ｂ、Ｃ、Ｄで表す動きにより、これらの光源から発する光の光軸方向を調整できる。
【０１１６】
第一照明具１３、第二照明具１４にそれぞれ２個ある光源の一方を遠距離用照明、他方を中間距離用照明としたのは、例えば、図１２（ａ）図示のように、道路１００に本発明の照明装置１が取り付けられている支柱２が設置されている場合、第一照明具１３の第一照明具第一照明源１３ａによる照明が符号１０３ａ、第一照明具第二照明源１３ｂによる照明が符号１０２ａ、第二照明具１４の第二照明具第一照明源１４ａによる照明が符号１０３ｂ、第二照明具第二照明源１４ｂによる照明が符号１０２ｂで示されるように照明装置１の図１２（ａ）中左右に照射することを考慮したものである。
【０１１７】
符号１０３ａ、１０２ａで示される一の方向を照射する第一照明具第一照明源１３ａ、第一照明具第二照明源１３ｂは、それぞれが、符号Ａで示される照射角度調整を受けると同時に、第一照明具１３として両者が一体になって、符号Ｂ、Ｃ、Ｄで示される角度調整を受けることになる。
【０１１８】
また、符号１０３ｂ、１０２ｂで示される他の方向を照射する第二照明具第一照明源１４ａ、第二照明具第二照明源１４ｂも、それぞれが、符号Ａで示される照射角度調整を受けると同時に、第二照明具１４として両者が一体になって、符号Ｂ、Ｃ、Ｄで示される角度調整を受けることになる。
【０１１９】
第一照明具第一照明源１３ａ、第一照明具第二照明源１３ｂ、第二照明具第一照明源１４ａ、第二照明具第二照明源１４ｂのそれぞれについて符号Ａで示される照射角度調整を行うことにより、遠距離、中間距離のそれぞれにおいて最適な光照射を行わせることができる。
【０１２０】
なお、第三照明具１５の第三照明具第一照明源１５ａ、第三照明具第二照明源１５ｂによって、図１２（ａ）に符号１０１ａ、１０１ｂで示す支柱２の直下及びその近傍である近距離の路面が光照射される。
【０１２１】
本発明の照明装置１においては、以上に説明したように、近距離用照明である第三照明具１５と、遠距離用照明と中間距離用照明とを対にして備えている第一照明具１３、第二照明具１４とを少なくとも備えている必要がある。
【０１２２】
図示の実施形態では、第三照明具１５は、支持体６の最も基端４に近い側に配置されて、符号Ｃ、Ｄで表わす角度調整による光軸方向調整可能である。
【０１２３】
そして、第一照明具１３、第二照明具１４は、各光源（第一照明具第一照明源１３ａ及び第一照明具第二照明源１３ｂと、第二照明具第一照明源１４ａ及び第二照明具第二照明源１４ｂ）が符号Ａで表わす角度調整による光軸方向調整可能であると同時に、各光源が一体となった第一照明具１３、第二照明具１４として符号Ｂ、Ｃ、Ｄで表わす角度調整による光軸方向調整可能である。
【０１２４】
これによって道なりの照明を可能にしている。
【０１２５】
特に、遠距離用照明の光源（第一照明具第一照明源１３ａ）と中間距離用照明の光源（第一照明具第二照明源１３ｂ）とが組み合わされている第一照明具１３を一体にして符号Ｂ、Ｃ、Ｄで表わす角度調整すると共に、第一照明具第一照明源１３ａ、第一照明具第二照明源１３ｂのそれぞれを符号Ａで表わす角度調整することにより、道なりの照明を可能にしている。
【０１２６】
また、遠距離用照明の光源（第二照明具第一照明源１４ａ）と中間距離用照明の光源（第二照明具第二照明源１４ｂ）とが組み合わされている第二照明具１４を一体にして符号Ｂ、Ｃ、Ｄで表わす角度調整すると共に、第二照明具第一照明源１４ａ、第二照明具第二照明源１４ｂのそれぞれを符号Ａで表わす角度調整することにより、道なりの照明を可能にしている。
【０１２７】
なお、本発明の照明装置１では、前述したように、各光源（第一照明具第一照明源１３ａ、等）のレンズ体４１に配備されている複数のレンズ４２ａ〜４２ｅは、複数個のＬＥＤ４７ａ〜４７ｅからの光が所定の方向に向けて絞られて各照明具（第一照明具１３、第二照明具１４、第三照明具１５）から放出されるように所定の角度を有している。
【０１２８】
前述したように、第三照明具１５の光源（第三照明具第一照明源１５ａ、第三照明具第二照明源１５ｂ）は近距離用照明であり、第三照明具第一照明源１５ａ、第三照明具第二照明源１５ｂのレンズ体４１に配備されている複数のレンズ４２ａ〜４２ｅは広角の度数とする。
【０１２９】
中間距離用照明用の光源である第一照明具第二照明源１３ｂ、第二照明具第二照明源１４ｂのレンズ体４１に配備されている複数のレンズ４２ａ〜４２ｅも広角の度数とする。
【０１３０】
さらに、遠距離用照明の光源である第一照明具第一照明源１３ａ、第二照明具第一照明源１４ａのレンズ体４１に配備されている複数のレンズ４２ａ〜４２ｅも広角の度数とする。
【０１３１】
前述したように、各光源（第一照明具第一照明源１３ａ、等）におけるレンズ体４１に配備されている複数のレンズ４２ａ〜４２ｅは、複数個のＬＥＤ４７ａ〜４７ｅからの光が所定の方向に向けて絞られて各照明具（第一照明具１３、等）から放出されるように所定の角度を有している。所定の角度を有するとは、近距離用照明用、中間距離用照明用、遠距離用照明用に応じてレンズが好ましい広角の度数を有することである。
【０１３２】
図１２（ａ）〜図１３（ｄ）は、種々の形状の道路１００に支柱２が設置され、この支柱２の地上４．５ｍの高さに本発明の照明装置１が設置されている場合の光の照射状態を説明するものである。各図において符号１０１ａ、１０１ｂで表わされている領域が近距離用照明によって光照射されている領域、符号１０２ａ、１０２ｂで表わされている領域が中間距離用照明によって光照射されている領域、符号１０３ａ、１０３ｂで表わされている領域が遠距離用照明によって光照射されている領域である。
【０１３３】
図１２（ａ）は直線状の道路の場合である。
【０１３４】
図１２（ｂ）は曲線状の最も湾曲している部分における外側、図１２（ｃ）はＬ字状にまがっている部分における外側にそれぞれ支柱２が配置されているものである。第一照明具１３、第二照明具１４についてそれぞれ符号Ｂで示す角度調整を行うと共に、第一照明具第一照明源１３ａ、第一照明具第二照明源１３ｂ、第二照明具第一照明源１４ａ、第二照明具第一照明源１４ｂについてそれぞれ符号Ａで示す角度調整を行う。
【０１３５】
符号Ｂで示す角度調整は、支柱２に取り付けられている照明装置１の支持体６からカバーフレーム２４を取り外し、第一照明具１３、あるいは第二照明具１４の保持フレーム２３、２３をそれぞれ下側から手で持って、図６（ａ）、（ｂ）に矢印３３ａ、３３ｂ、矢印３３ａ´、３３ｂ´で示す方向に回転させておこなう。
【０１３６】
また、支持フレーム２２を支持体６から取り外し、光源ハウジング４９が上側から装着されている保持フレーム２３の上側面に下端が固定されているネジ３２ａ、３２ｂ、３２ｃ、３２ｄの上端を、支持フレーム２２のネジ溝３１ａ、３１ｂ、３１ｃ、３１ｄ内で矢印３３ａ方向、あるいは３３ｂ方向に移動させるようにして角度Ｂを調整することもできる。
【０１３７】
符号Ａで示す角度調整は、カバーフレーム２４を取り外し、第一照明具１３、あるいは第二照明具１４の光源ハウジング４９のホルダ側壁２８ａ、２８ｂのネジ２９を緩めて行い、所定の角度に回転させたのち、ネジ２９を締め付けて固定する。
【０１３８】
図１２（ｄ）は直線の行き止まり道路、図１２（ｅ）は直線の登り及び下り勾配道路（勾配１０度）における照明の状態を説明するものである。主に、符号Ｃで示す角度調整を行う。符号Ｃで示す角度調整により、図７図示のように、路面４０に対する正面方向の勾配がある場合に最適な角度調整を行うことができる。
【０１３９】
角度Ｃの調整は、支柱２に取り付けられている照明装置１の支持体６の先端を矢印５で示すように所定の角度に回転させて行う。
【０１４０】
図１２（ｆ）は、図において左勾配１０度（坂で勾配が大きい箇所）における照明の状態を説明するものである。主に、符号Ｄで示す角度調整を行う。符号Ｄで示す角度調整を行うことにより、図８（ｃ）図示のように、照明装置１が取り付けられている支柱２が設置されている路面４０の左右方向の勾配に対し最適な角度を調整することができる。
【０１４１】
角度Ｄの調整は、支柱２に取り付けられている照明装置１の支持体６の取付箱５１を、取付腕５２に対して回転させて行う。あるいは不図示のアタッチメントを取付箱５１と取付腕５２との間に取り付けて行う。
【０１４２】
図１３（ａ）は、図１２（ｆ）よりも更に図において左勾配が大きくなっている（左勾配３０度）（階段などの更に勾配が大きい箇所）における照明の状態を説明するものである。主に、符号Ｄで示す傾き角度を図１２（ｆ）の場合よりもさらに大きくする。
【０１４３】
図１３（ｂ）はＳ字道路に取り付けられた場合を説明するものであり、符号Ｃで示す角度調整だけでなく、第一照明具１３、第二照明具１４についてそれぞれ符号Ｂで示す角度調整を行うと共に、第一照明具第一照明源１３ａ、第一照明具第二照明源１３ｂ、第二照明具第一照明源１４ａ、第二照明具第二照明源１４ｂについてそれぞれ符号Ａで示す角度調整を行う。
【０１４４】
図１３（ｃ）はある程度の広がりを持つ領域（例えば、構内）の縦方向（図において上下方向）を照明する場合、図１３（ｄ）はある程度の広がりを持つ領域（例えば、構内）の横方向（図において左右方向）を照明する場合である。
【０１４５】
いずれの場合であっても、道なりに、必要とされる領域を照明できる。
【０１４６】
以上、添付図面を参照して本発明の好ましい実施形態、実施例を説明したが、本発明は前述した実施形態、実施例に限定されるものではなく、特許請求の範囲から把握される技術的範囲において種々の形態に変更可能である。
【０１４７】
例えば、商用電源ＡＣ１００Ｖからのサージ（雷、開閉）を吸収する機能を設けるようにすることもできる。
【符号の説明】
【０１４８】
１    照明装置
２    支柱
３    先端
４    基端
６    支持体
７    第一照明ハウジング
８    第二照明ハウジング
９    第三照明ハウジング
１３  第一照明具
１４  第二照明具
１５  第三照明具
１３ａ  第一照明具第一照明源
１３ｂ  第一照明具第二照明源
１４ａ  第二照明具第一照明源
１４ｂ  第二照明具第二照明源
１５ａ  第三照明具第一照明源
１５ｂ  第三照明具第二照明源
１７  仰角軸
１９  支持フレーム（仰角平面）に直交する中心軸
２０  熱拡散板
２１  支持リング
２２  支持フレーム（仰角平面）
２３  保持フレーム
２４  カバーフレーム
２５、２６、２７  透明カバー
２８ａ、２８ｂ  光源ハウジングのホルダ側壁
４１  レンズ体
４２ａ、４２ｂ、４２ｃ、４２ｄ、４２ｅ  レンズ（第一のフレネルレンズ）
４９  光源ハウジング
６０  第二のフレネルレンズ
６１  白色塗装面
６２  焦点調整リング
６３  白色塗装面
【図１】
2010062126.tif 000003
【図２】
2010062126.tif 000004
【図３】
2010062126.tif 000005
【図４】
2010062126.tif 000006
【図５】
2010062126.tif 000007
【図６】
2010062126.tif 000008
【図７】
2010062126.tif 000009
【図８】
2010062126.tif 000010
【図９】
2010062126.tif 000011
【図１０】
2010062126.tif 000012
【図１１】
2010062126.tif 000013
【図１２】
2010062126.tif 000014
【図１３】
2010062126.tif 000015
【図１４】
2010062126.tif 000016
【図１５】
2010062126.tif 000017
【図１６】
2010062126.tif 000018